(57)【特許請求の範囲】
【請求項１】
外部からの入力を受け付ける入力部と、
ペットの体重を測定し、ペットの実体重を取得する重量計測部と、
ペットの標準体重が、飼い主の身長に対する標準体重と一致するようにして、測定したペットの実体重を人の体重に置き換えたペットの換算体重を算出する演算部と、
前記演算部により算出されたペットの換算体重、飼い主の実体重および前記飼い主の身長に対する標準体重を同時に出力する出力部と、
を備えることを特徴とする、ペット体重計測装置。
【請求項２】
前記演算部におけるペットの換算体重の算出は、式（ａ）：
ｃａＷｐ＝ｒＷｏ＋ｆ（ΔＷｐ）  （ａ）
（但し、
ｃａＷｐは、ペットの換算体重であり、
ｒＷｏは、人の基準体重であり、
ｆは所定の換算関数であり、
ΔＷｐ＝ａＷｐ−ｓＷｐであり、
ａＷｐは、ペットの実体重であり、
ｓＷｐは、ペットの標準体重である。）
に従って計算されることを特徴とする請求項１記載のペット体重計測装置。
【請求項３】
前記演算部におけるペットの換算体重の算出は、式（ａ１）：
ｃａＷｐ＝ｒＷｏ・（ａＷｐ／ｓＷｐ）  （ａ１）
に従って計算されることを特徴とする請求項２記載のペット体重計測装置。
【請求項４】
データを記憶する記憶部をさらに有し、前記ペットの標準体重および前記飼い主の身長に対する標準体重のそれぞれが、前記入力部より入力されて前記演算部に送られるか、または前記記憶部に記憶されていて、前記演算部により参照されることで前記演算部に送られることを特徴とする請求項１〜３のいずれかに記載のペット体重計測装置。
【請求項５】
計時機能をさらに有し、前記演算部は、前記計時機能を参照して現在時刻を取得し、記憶されている、最初にペットの月齢を入力した時からの経過日時を計算し、ペットの現在の月齢を計算するように構成されていることを特徴とする請求項４に記載のペット体重計測装置。
【請求項６】
前記入力部は、ペットの種類、ペットの月齢、ペットの性別、ペットの名前、ペットの標準体重、ペットの体重の変化量、飼い主の身長、飼い主の標準体重、飼い主の実体重、飼い主の性別、および飼い主の名前からなる群から選ばれる情報を受け付けることを特徴とする請求項１〜５のいずれかに記載のペット体重計測装置。
【請求項７】
前記記憶部は、前記入力部から入力された情報の少なくとも一部を記憶することを特徴とする請求項５に記載のペット体重計測装置。
【請求項８】
前記記憶部は、ペットの種類および月齢に対応したペットの標準体重をデータベースとして格納していることを特徴とする請求項４、５または７記載のペット体重計測装置。
【発明の詳細な説明】
【技術分野】
【０００１】
本発明は、ペットの実体重を人の体重に換算したペットの換算体重を表示する機能を有するペット体重計測装置に関する。
【背景技術】
【０００２】
体重計は、測られる者の体重を一回測定し、あるいは異なる日に繰り返し測定することにより、測定値もしくは測定値の変化を用いて、体重のコントロールに供することを目的としている。測られる対象がペットである場合も、同様に、その体重を一回測定し、あるいは異なる日に繰り返し測定することにより、測定値もしくは測定値の変化を用いて、体重のコントロールに供される。例えば特許文献１には、ペット用の自動体重計が提案されている。【０００３】
近年、犬や猫等のペットの食料事情が豊かになったり、室内飼育のため運動量が減少したりすることによる、ペットの肥満が問題になっている。ペットの肥満は、心臓や関節への負担を大きくし、糖尿病等の原因にもなり、ペットの短命化にもつながる。【０００４】
一般にペットは特定の飼い主あるいは管理者に飼われるものであるから、その体重の値および増減は飼い主あるいは管理者により評価される。しかし、ペットと人の体重が大きく異なるため、ペットの肥満を認識しにくいことが多い。たとえば、ある種類のペットの標準体重が１３．８ｋｇであり、実際に飼育しているペットの体重が１４．５ｋｇであったとしても、それがどの程度の肥満であるのか、飼い主が実感として認識することが難しい問題がある。また、例えば３ヶ月の間にペットの体重が１３．８ｋｇから１４．５ｋｇに変化したとしても、それがどの程度太ったことになるのかも、実感として認識することは難しい。【０００５】
そこで、ペットの体重を人間の体重に換算すれば、飼い主がペットの体重変化をより実感できると考えられる。しかし、飼い主の体重が６５ｋｇであるときに、ペットの体重変化を、飼い主の体重変化に置き換えたときに、どの程度の体重増加になるのかを想像するのは困難である。
【先行技術文献】
【特許文献】
【０００６】
【特許文献１】特開２００７−３３０２００号公報
【発明の概要】
【発明が解決しようとする課題】
【０００７】
そこで、本発明は、ペットの実体重を測定した際に、ペットの体重を人の体重に換算して飼い主または管理者等に知らせる機能を有するペット用体重計測装置を提供することを目的とする。
【課題を解決するための手段】
【０００８】
本発明は、外部からの入力を受け付ける入力部と、ペットの体重を測定し、ペットの実体重を取得する重量計測部と、ペットの標準体重が、飼い主の身長に対する標準体重と一致するようにして、測定したペットの実体重を人の体重に置き換えたペットの換算体重を算出する演算部と、前記演算部により算出されたペットの換算体重、飼い主の実体重および前記飼い主の身長に対する標準体重を同時に出力する出力部と、を備えることを特徴とする、ペット体重計測装置に関する。
【発明の効果】
【０００９】
本発明によれば、ペットの体重を計測した際、ペットの実体重やその変化量を人の体重に換算したペットの換算体重に関する情報が得られるため、飼い主等がペットの健康状態を容易に認識することができる。このため、本発明のペット用体重計測装置は、ペットの健康管理に非常に有用である。また、加えて、本発明の１態様によれば、飼い主等の健康管理も同時に行えるため、ペットと共に楽しみながら飼い主とペットの両者の健康管理を行うことができる。
【図面の簡単な説明】
【００１０】
【図１】本発明の実施形態におけるペット体重計測装置の構成例を示すブロック図である。
【図２】演算部３におけるデータの入出力を示すブロック図である。
【図３】演算部３における計算を説明するための図である。
【図４】本発明のペット体重計測装置の表示画面の１例を示す図である。
【発明を実施するための形態】
【００１１】
以下、本出願において（特許請求の範囲の記載を含む）、用語「飼い主」は、ペットの実際の所有者、ペットを管理する管理者、本装置の使用者、その他本装置を使用してペットの体重を換算し比較する対象となる人の全てを含むものとして使用する。従って、飼い主は複数であってもよい。
【００１２】
本発明のペット体重計測装置は、外部からの入力を受け付ける入力部と、ペットの体重
を測定し、ペットの実体重を取得する重量計測部と、ペットの標準体重が、設定された人
の基準体重と一致するようにして、測定したペットの実体重を人の体重に置き換えたペッ
トの換算体重を算出する演算部と、前記演算部により算出されたペットの換算体重を出
力する出力部と、を備え、さらに記憶部を備えることができる。
【００１３】
本発明の実施形態について図面を参照しながら説明する。図１は、本発明の一実施形態におけるペット体重計測装置の構成例を示すブロック図である。本実施形態におけるペット体重計測装置は、一般に、入力部１、重量計測部２、演算部３、記憶部４および出力部５の要素を備え、例えばそれぞれがバスライン６に接続されて、要素間でのデータの送受が可能に構成されている。これらの要素のそれぞれは、通常ハードウェアとソフトウェアが協働して所定の機能を達成するように構成されており、現実の製品においては各要素がハードウェア的に明確に分離されている必要はなく、例えば１つの部品が２つ以上の要素にかかわる機能を果たしていてもよい。
【００１４】
演算部３は、ペットの実体重を人の体重に換算してペットの換算体重を算出する計算を行う。図２に示すように、演算部は、少なくとも計算に必要なデータであるペットの実体重（ａＷｐ：ａｃｔｕａｌ  ｗｅｉｇｈｔ  ｏｆ  ｐｅｔ）、ペットの標準体重（ｓＷｐ：ｓｔａｎｄａｒｄ  ｗｅｉｇｈｔ  ｏｆ  ｐｅｔ）、および人の基準体重（ｒＷｏ：ｒｅｆｅｒｅｎｃｅ  ｗｅｉｇｈｔ  ｏｆ  ｏｗｎｅｒ）の各データを受け取る。ペットの実体重は、重量計測部２から送られる。ペットの標準体重および人の基準体重は、入力部１からインプットされてもよいし、または記憶部にデータが格納されていてそこからデータが読み出されてもよい（詳細については後述する）。計算されたペットの換算体重（ｃａＷｐ：ｃｏｎｖｅｒｔｅｄ  ａｃｔｕａｌ  ｗｅｉｇｈｔ  ｏｆ  ｐｅｔ）は、ディスプレイ等の出力部に送られる。
【００１５】
ペットの標準体重は、そのペット種の標準的な体重、例えば平均的体重、あるいはそのペット種に望ましい体重が選ばれ、月齢（年齢）を考慮したものを採用することが好ましい。一方、人の基準体重（ｒＷｏ）は、ペットの標準体重を一致させたい任意の値が設定される。代表的には、飼い主の身長に対する標準的体重（例えば、平均体重または健康的に望ましいとされる体重など）が設定されるが、飼い主の実体重が設定されてもよい。以下の説明では、人の基準体重として、その人の標準的体重を選んだ場合を主として説明する。
【００１６】
図３を用いて、演算部３で実行される換算を説明する。この換算では、ペットの実体重（ａＷｐ）を人の体重に換算するにあたり、まず、ペットの標準体重（ｓＷｐ）が、設定された人の基準体重（ｒＷｏ）に一致するよう計算する。これは、ペットが理想的な健康状態にあって、実体重が標準体重に一致しているときに、それを人の体重に換算したときにも、人の健康的な標準体重に一致するようにするためである。
【００１７】
そして、ペットの実体重の標準体重からの変位（ΔＷｐ）から、所定の関数式により換算変位（ΔｃＷｐ）を求めて、それに人の基準体重（ｒＷｏ）を加えることで、ペットの換算体重（ｃａＷｐ）が求められる。つまり、変位（ΔＷｐ）は式（１）：
ΔＷｐ＝ａＷｐ−ｓＷｐ      （１）
で得られ、変位（ΔＷｐ）から換算変位（ΔｃＷｐ）が式（２）：
ΔｃＷｐ＝ｆ（ΔＷｐ）      （２）
（但し、ｆは所定の関数である。）
により得られ、最終的にペットの換算体重（ｃａＷｐ）が次の式（３）：
ｃａＷｐ＝ｒＷｏ＋ΔｃＷｐ      （３）
で得られる。
【００１８】
これをまとめると式（ａ）：
ｃａＷｐ＝ｒＷｏ＋ｆ（ΔＷｐ）            （ａ）
（但し、ｆは所定の換算関数であり、ΔＷｐ＝ａＷｐ−ｓＷｐである。）
となる。
【００１９】
ここで、関数ｆは、ペット体重の標準体重からの変位を、人に置き換えた場合にどの程度の変位に相当するかを求める関数である。この関数として、人に置き換えた場合に妥当な範囲となるような関数を、適宜設定することができる。また、ペット種、月齢等を考慮し、統計学的および／または獣医学・医学的な観点から経験的に関数を設定することもできる。ここで、換算体重は、飼い主がペット体重の過多または過小を実感できるように換算されていれば、必ずしも獣医学的に見て厳密に正確である必要は無い。
【００２０】
簡便な１例として、関数ｆが、人の基準体重（ｒＷｏ）とペットの標準体重（ｓＷｐ）の比を係数とする１次関数、特に比例関係を示すとする。即ち、
ΔｃＷｐ＝ｆ（ΔＷｐ）＝ΔＷｐ・（ｒＷｏ／ｓＷｐ）    （５）
とする。その結果、前述の式（ａ）は、比例関係を示す式（ａ１）：
ｃａＷｐ＝ｒＷｏ・（ａＷｐ／ｓＷｐ）      （ａ１）
で表される。犬、猫のようなありふれたほ乳類のペットの場合は、飼い主がペットの肥満等を認識するには式（ａ１）で十分と考えられる。また、ペットが非常に希な種類であったりして、適切な換算が不明であるときも、便宜的に式（ａ１）を使用することは、充分に意義があると考えられる。
【００２１】
さらに、飼い主が関数を適宜変更することも自由である。例えば式（５）において、単純な比例関係よりも、換算変位の幅が狭い方が適当である、または換算変位の幅が広い方が適当である、と考える場合には、式（６）：
ΔｃＷｐ＝ｆ（ΔＷｐ）＝ΔＷｐ・ｋ（ｒＷｏ／ｓＷｐ）    （６）
のように、ｋを定数として、１より小さな正の数または１より大きな数を適宜設定することにより、関数を設定してもよい。
【００２２】
また、統計的に体重の分布が明確に知られている場合には、関数ｆが、人の体重の標準偏差とペットの体重の標準偏差の比を係数とする１次関数、特に比例関係を示すとすることが適切な場合もあると考えられる。即ち、式（７）
ΔｃＷｐ＝ｆ（ΔＷｐ）＝ΔＷｐ・（δｏ／δｐ）    （７）
（但し、δｏは、例えば飼い主の身長を有する人の体重の標準偏差であり、δｐはペットの体重の標準偏差である。）
を使用することが適切な場合もあると考えられる。
【００２３】
以上のようにして計算されたペットの換算体重は、演算部３から出力部５へ送られる。ペットの換算体重に加えて、または代えて、換算変位（ΔｃＷｐ）を出力部へ送って出力させてもよい。換算変位（ΔｃＷｐ）は、人に置き換えたときにどれだけ太っているか、またはどれだけ痩せているかを示し、それ自体、飼い主が実感できる数値であり、有用である。
【００２４】
前記式（ａ１）による実例を示す。例えば、ペットの標準体重が１３．８ｋｇ、ペットの実体重が１４．５ｋｇ、人の基準体重として飼い主の標準体重６５ｋｇを選らんだとき、そのペットの換算体重は式（ａ１）により、ｃａＷｐ＝６５・１４．５／１３．８＝６８．３ｋｇとなる。また、換算変位（ΔｃＷｐ）は、３．３ｋｇとなり、ペットの０．７ｋｇの重量過多が、人に換算すると３．３ｋｇだけ標準より太っているとして実感することができる。
【００２５】
尚、以上の説明では人の基準体重として、飼い主の身長に対応する標準的体重を選択した例を主として説明したが、飼い主の実体重を選択した場合には、現在の体重よりどれだけ太ること（または痩せること）に相当するかという点で、ペットの重量過多（または重量過小）を実感として認識できることになる。
【００２６】
また、ペットの種類に対応する換算式をそれぞれ用意することも好ましい。この場合、ペットの種類の情報に基づいて、対応する式を例えば記憶部５から読み出して計算が実行される。また、飼い主またはサービスエンジニア等の使用者が、関数の作成、編集ができる関数作成および／または編集機能等を有していてもよい。
【００２７】
次に、演算部３が受け取る各データの取得について、図１で示した各部との関係において説明する。ペットの実体重は、通常は、重量計測部２より計測され、計測データが演算部３に送られる。重量計測部２は、ペットの体重測定機能を有していれば特に限定されない。例えば、ペットを載せる台やケージ等を備えたペット専用の体重計、ペットの居場所の下に設置されて自動で計測する体重計、人がペットを抱えた状態で計測し、人のみの体重も計測可能な体重計が挙げられる。これら重量計測部は、同時にペットおよび人の体脂肪率を測定する機能を有していてもよい。
【００２８】
ペットの標準体重は、入力部１から入力されてもよいし、記憶部４から読みだされてもよい。また、人の基準体重も、入力部１から入力されてもよいし、記憶部４から読みだされてもよい。
【００２９】
この観点から、１実施形態において、入力部１は、ペットの標準体重および人の基準体重を直接入力する機能を有する。飼い主は、そのペットの種類、月齢や性別、身長等を勘案し、または標準体重表を用いる等によりペットの標準体重を入力することになる。また、同様に、使用したい人の基準体重、例えば飼い主の身長に対する標準体重または実体重等を入力する。
【００３０】
他の１実施形態においては、入力部１は、上記のような直接入力の機能に代えて、または上記のような直接入力の機能に加えて、ペットの情報、例えばペットの種類、月齢、性別等を入力する機能を有し、これに基づいて、記憶部４からペットの標準体重が読み出されるように構成することができる。人の基準体重についても、入力部１で例えば身長が選択されると、記憶部４から人の標準体重が読み出されるように構成することができる。
【００３１】
これらの機能に加えて、入力部１は、使用されたデータを記憶部４に登録する指示をしたり、登録されたデータを選択したりする機能等を有することができる。本装置を再度使用時に入力する際、入力情報の一部または全部を省略できるので好ましい。通常入力されるデータとしては、例えば、ペットの種類、月齢、性別、名前、標準体重、体重の変化量および／または飼い主もしくは管理者の身長、標準体重、実体重、性別、名前等であり、これらは全てまたは必要なもののみを入力することができる。
【００３２】
入力方法としては、限定されないが、例えば、キーボード（フルキーボードに加え、テンキー、親指入力が可能なキーボード等の簡易または小型キーボードを含む）、マウス、ダイヤル、タッチパネル等により、文字入力または画面に表示された情報を選択入力する方法、または音声入力等が挙げられる。
【００３３】
次に、記憶部４については、１実施形態において、ペットの標準体重および／または人の基準体重が記憶部４に記憶（登録）されており、それらデータが記憶部４から読み出され、演算部３に送られる。仮に、毎回の測定において、これらデータが毎回入力される場合には、これらのデータが登録されている必要はないが、毎回の入力は煩雑であり、登録可能に構成されていることが好ましい。前述のように入力されたデータのすべてまたは少なくとも一部が、記憶部４に記憶（登録）されていることが好ましい。
【００３４】
また、入力部の説明において、飼い主がそのペットの標準体重表を見て入力することを述べたが、記憶部４がペットの標準体重のデータベースを有していることも好ましい実施形態の１つである。通常ペットとして飼育される種類は非常に多く、月齢によって変化する。そのため、犬種、猫種および月齢ごとの標準体重がデータベースとして記憶されていると非常に便利である。その際、入力部１から、ペットの種類、月齢を入力すると、記憶部４から対応する標準体重が読み出される。
【００３５】
記憶部は、公知の記憶手段で構成することができる。例えば、ＲＡＭ、ＲＯＭ等のメモリ、ハードディスク、ネットワーク上のサーバーコンピューターが挙げられる。また、フレキシブルディスク、光ディスク、光磁気ディスク（ＭＯ）、フラッシュメモリ、ＣＦカード、ＳＤカードのような着脱可能な媒体であってもよい。着脱可能な媒体を用いることで、データを後から追加することもできる。例えば、ペットショップ等が、珍しい種類のペットを販売する際に、その標準体重表のデータが格納された媒体（例えばＳＤカード）を同時に販売する等が可能になる。
【００３６】
以上のようにして計算されたペットの換算体重は、出力部５に送られて出力される。出力部としては、限定されないが、例えば、液晶、ＣＲＴ、その他のディスプレイ、プリンター、音声出力（音声読み上げ）等が挙げられる。出力内容（少なくとも一部は演算部３から出力部５へ送られる内容から選ばれる）としては、少なくともペットの換算体重が出力可能であり、さらに、ペットの実体重および標準体重、前回測定時と現体重との差分およびその換算体重の差分、標準体重からの現体重の変位および換算変位、記憶部に記憶された過去の体重データと現在の体重データを合わせた体重変化状況、体脂肪率、ペットの種類、名前、飼い主の実体重、標準体重、身長、名前等も表示することができることが好ましい。
【００３７】
また、特にディスプレイの場合には、体重変化状況をグラフで示すグラフ機能、その他種々の情報を表示できる機能等を有していることも好ましい。
【００３８】
これら複数の情報を表示するときは、すべての情報が同時に表示されてもよいし、ボタン操作等により表示画面を切り替えて、別々に表示されてもよい。
【００３９】
本発明のペット体重計測装置は、入力部１、重量計測部２、演算部３、記憶部４および出力部５等が、一体となって１つの筐体に納められているワンパッケージ型（ワンボックス型）でも、また少なくとも一部が別体となったマルチパッケージ型（マルチボックス型）でもよい。ワンパッケージ型としては、例えばヘルスメータのような体重計に入力機能とディスプレイが備わり、演算部３および記憶部４が内包されている構造が挙げられる。また、マルチパッケージ型としては、ヘルスメータのような体重計が重量計測部２として独立した筐体として存在し、一方、入力部１、演算部３、記憶部４および出力部５が一体となってメイン操作部を構成して、重量計測部との間で情報の送受が可能なように有線または無線接続されている構成が挙げられる。尚、ここで入力部１が独立したキーボードとして有線または無線で接続されている構成も可能である。
【００４０】
＜その他の付加機能＞
ペット体重計測装置は、ペットの肥満度類推機能を有していてもよい。前述のとおり、ペットの換算体重が求められるので、例えばＢＭＩ値のような人の肥満度計算式を用いて、人の肥満度を求めるのと同様に演算部３が計算することができ、これをディスプレイ等に表示する。また、同時に飼い主の肥満度を計算して、表示することも好ましい。
【００４１】
ペット体重計測装置は、計時機能（時計機能）を有していてもよい。最初に月齢を入力すると、次の測定時に、演算部３は計時機能を参照して現在時刻を取得し、記憶されている最初に月齢を入力した時からの経過日時を計算し、ペットの現在の月齢を計算する。そして、記憶部５が月齢ごとの標準体重のデータベースを記憶している場合には、計算された現在の月齢に対応する標準体重が、データベースから読み出される。従って、飼い主が測定の度に月齢を入力する必要がなくなる。
【００４２】
また、ペット体重計測装置は、人の体重管理機能を同時に有していることが好ましい。例えば、飼い主の身長に対応する標準体重、実体重、標準体重からの変位、体重変化状況等の情報を、計算して、表示する機能であり、飼い主の健康管理を同時に行うことができる。図４は表示画面の１例であり、この図のようにペットの換算体重と飼い主の体重を同時にディスプレイに表示する機能を有することが好ましい。この図のように、飼い主の身長に対する理想的な体重（これが人の基準体重として採用されている）を表示してもよい。さらに、この図のように、ペットおよび飼い主の体重に関するコメントも表示してもよい。このように、ペットの換算体重と飼い主の体重を同時に表示すると、どちらが健康的であるかが直ちにわかるため、ペットの健康管理とともに楽しみながら飼い主自身の健康管理を行うことができる。
【産業上の利用可能性】
【００４３】
本発明のペット体重計測装置は、ペットの健康管理に有用である。
【符号の説明】
【００４４】
１  入力部
２  重量計測部
３  演算部
４  記憶部
５  出力部
６  バスライン
【図１】
0005551172.tif 000002
【図２】
0005551172.tif 000003
【図３】
0005551172.tif 000004
【図４】
0005551172.tif 000005